(57)【要約】【課題】積算メータ値の復元が容易であり、コンビネーションメータの交換を短時間で行えるコンビネーションメータの積算メータ値復元システムを提供する。【解決手段】コンビネーションメータ１は、積算メータ値を第１記憶部１１に記憶させる第１記憶手段１３と、記憶装置２に送信する第１送信手段１４と、第１記憶部１１に記憶させる復元手段１５とを備え、記憶装置２は、コンビネーションメータ１から受信した積算メータ値を第２記憶部２１に記憶させる第２記憶手段２２と、操作装置３に送信する第２送信手段２３とを備え、操作装置３は、記憶装置２から積算メータ値を受信する取得手段３２と、積算メータ値をコンビネーションメータ１に送信する第３送信手段３３とを備える。積算メータ値を記憶装置２に記憶させているので、操作装置３を操作することで交換前の積算メータ値を交換後のコンビネーションメータ１に復元できる。【選択図】図１
2014215255.tif 000002
【特許請求の範囲】
【請求項１】
コンビネーションメータと、
前記コンビネーションメータに接続された記憶装置と、
前記コンビネーションメータおよび前記記憶装置に接続された操作装置と、を備え、
前記コンビネーションメータは、
第１記憶部と、
積算メータ値を演算する演算手段と、
前記演算手段で演算された前記積算メータ値を前記第１記憶部に記憶させる第１記憶手段と、
前記演算手段で演算された前記積算メータ値を前記記憶装置に送信する第１送信手段と、
前記操作装置から受信した前記積算メータ値を前記第１記憶部に記憶させる復元手段と、
前記第１記憶部に記憶された前記積算メータ値を表示する表示手段と、を備え、
前記記憶装置は、
第２記憶部と、
前記コンビネーションメータから受信した前記積算メータ値が前記第２記憶部に記憶された前記積算メータ値よりも大きい場合に、前記コンビネーションメータから受信した前記積算メータ値を前記第２記憶部に記憶させる第２記憶手段と、
前記操作装置からの送信要求に応じて前記第２記憶部に記憶された前記積算メータ値を該操作装置に送信する第２送信手段と、を備え、
前記操作装置は、
前記記憶装置に送信要求を送信して前記積算メータ値を受信する取得手段と、
前記取得手段が取得した前記積算メータ値を前記コンビネーションメータに送信する第３送信手段と、を備える
ことを特徴とするコンビネーションメータの積算メータ値復元システム。
【請求項２】
前記コンビネーションメータは、前記第１記憶部に記憶された前記積算メータ値をリセットするとともに、前記記憶装置にリセット信号を送信するリセット手段を備え、
前記第２記憶手段は、前記リセット信号を受信した場合に前記第２記憶部に記憶された前記積算メータ値をリセットする
ことを特徴とする請求項１記載のコンビネーションメータの積算メータ値復元システム。
【請求項３】
前記積算メータ値にはトリップメータ値と、該トリップメータ値と同期間における平均燃費とが含まれており、
前記第２記憶手段は、前記コンビネーションメータから受信した前記トリップメータ値が前記第２記憶部に記憶された前記トリップメータ値よりも大きい場合に、前記コンビネーションメータから受信した前記トリップメータ値および前記平均燃費を前記第２記憶部に記憶させる
ことを特徴とする請求項２記載のコンビネーションメータの積算メータ値復元システム。
【発明の詳細な説明】
【技術分野】
【０００１】
本発明は、コンビネーションメータの積算メータ値復元システムに関する。さらに詳しくは、コンビネーションメータを交換する場合に、交換前の積算メータ値を交換後のコンビネーションメータに復元するコンビネーションメータの積算メータ値復元システムに関する。
【背景技術】
【０００２】
一般に、車両の運転席にはコンビネーションメータが搭載されている。コンビネーションメータには、スピードメータやタコメータのほか、オドメータ（例えば特許文献１）やトリップメータ、アワメータなどが表示される。このコンビネーションメータが故障するなどして交換する場合には、交換前の積算メータ値（オドメータ値、トリップメータ値、アワメータ値など）を交換後のコンビネーションメータに復元する必要がある。
【０００３】
従来は、コンビネーションメータが故障した場合、交換前の積算メータ値をコンビネーションメータのメーカに通知し、メーカが新しいコンビネーションメータの積算メータ値を書き換えた後に、コンビネーションメータの交換作業が行われていた。そのため、コンビネーションメータの交換に長期間を要するという問題がある。また、積算メータ値を復元するのは面倒であるため、積算メータ値の復元を行わず、リセットされた状態で新しいコンビネーションメータを使用することもあった。
【先行技術文献】
【特許文献】
【０００４】
【特許文献１】特許第２９１７６７３号公報
【発明の概要】
【発明が解決しようとする課題】
【０００５】
本発明は上記事情に鑑み、積算メータ値の復元が容易であり、コンビネーションメータの交換を短時間で行えるコンビネーションメータの積算メータ値復元システムを提供することを目的とする。
【課題を解決するための手段】
【０００６】
第１発明のコンビネーションメータの積算メータ値復元システムは、コンビネーションメータと、前記コンビネーションメータに接続された記憶装置と、前記コンビネーションメータおよび前記記憶装置に接続された操作装置と、を備え、前記コンビネーションメータは、第１記憶部と、積算メータ値を演算する演算手段と、前記演算手段で演算された前記積算メータ値を前記第１記憶部に記憶させる第１記憶手段と、前記演算手段で演算された前記積算メータ値を前記記憶装置に送信する第１送信手段と、前記操作装置から受信した前記積算メータ値を前記第１記憶部に記憶させる復元手段と、前記第１記憶部に記憶された前記積算メータ値を表示する表示手段と、を備え、前記記憶装置は、第２記憶部と、前記コンビネーションメータから受信した前記積算メータ値が前記第２記憶部に記憶された前記積算メータ値よりも大きい場合に、前記コンビネーションメータから受信した前記積算メータ値を前記第２記憶部に記憶させる第２記憶手段と、前記操作装置からの送信要求に応じて前記第２記憶部に記憶された前記積算メータ値を該操作装置に送信する第２送信手段と、を備え、前記操作装置は、前記記憶装置に送信要求を送信して前記積算メータ値を受信する取得手段と、前記取得手段が取得した前記積算メータ値を前記コンビネーションメータに送信する第３送信手段と、を備えることを特徴とする。
第２発明のコンビネーションメータの積算メータ値復元システムは、第１発明において、前記コンビネーションメータは、前記第１記憶部に記憶された前記積算メータ値をリセットするとともに、前記記憶装置にリセット信号を送信するリセット手段を備え、前記第２記憶手段は、前記リセット信号を受信した場合に前記第２記憶部に記憶された前記積算メータ値をリセットすることを特徴とする。
第３発明のコンビネーションメータの積算メータ値復元システムは、第２発明において、前記積算メータ値にはトリップメータ値と、該トリップメータ値と同期間における平均燃費とが含まれており、前記第２記憶手段は、前記コンビネーションメータから受信した前記トリップメータ値が前記第２記憶部に記憶された前記トリップメータ値よりも大きい場合に、前記コンビネーションメータから受信した前記トリップメータ値および前記平均燃費を前記第２記憶部に記憶させることを特徴とする。
【発明の効果】
【０００７】
第１発明によれば、コンビネーションメータで演算された積算メータ値を記憶装置に記憶させているので、コンビネーションメータを交換する際に操作装置を操作することで交換前の積算メータ値を交換後のコンビネーションメータに復元できる。そのため、積算メータ値の復元が容易であり、コンビネーションメータの交換を短時間で行える。また、記憶装置は、コンビネーションメータから受信した積算メータ値を記憶された積算メータ値よりも大きい場合に記憶するので、交換直後のコンビネーションメータのリセットされた積算メータ値で記憶装置に記憶された積算メータ値が上書きされることがない。そのため、正しい積算メータ値を記憶することができる。
第２発明によれば、リセット手段を操作すると、コンビネーションメータに記憶された積算メータ値がリセットされるとともに、記憶装置に記憶された積算メータ値がリセットされるので、リセット後の積算メータ値を記憶装置に記憶することができる。
第３発明によれば、記憶装置は、トリップメータ値を基に、コンビネーションメータから受信した平均燃費がリセットされた値であるか否かを判断するので、正しい平均燃費を記憶することができる。
【図面の簡単な説明】
【０００８】
【図１】本発明の第１実施形態に係る積算メータ値復元システムのブロック図である。
【図２】復元操作におけるモニタの画面イメージである。
【図３】復元操作におけるモニタの画面イメージである。
【図４】本発明の第２実施形態に係る積算メータ値復元システムのブロック図である。
【発明を実施するための形態】
【０００９】
つぎに、本発明の実施形態を図面に基づき説明する。
本発明に係るコンビネーションメータの積算メータ値復元システムは、一般車両や作業車両などの車両に設けられる。作業車両としては、移動式クレーンや高所作業車などが含まれる。本明細書において「積算メータ値」とは、車両の使用状態を示す値のうち所定期間の積算値で示される値、およびその積算値に関連した値を意味する。積算値で示される値としては、例えばオドメータ値（積算走行距離）やトリップメータ値（区間走行距離）、アワメータ値（積算使用時間）などが含まれる。また、積算値に関連した値としては、例えばトリップメータ値と同期間における平均燃費などが含まれる。また、積算メータ値には、オドメータ値やアワメータ値など車両が完成してから現在までの積算値であり使用者がリセットできない値と、トリップメータ値や平均燃費など任意の区間の積算値であり使用者がリセットできる値とが含まれる。
【００１０】
（第１実施形態）
図１に示すように、本発明の第１実施形態に係る積算メータ値復元システムＡは、コンビネーションメータ１と、記憶装置２と、操作装置３とから構成されている。コンビネーションメータ１、記憶装置２、操作装置３はそれぞれ情報伝達可能に接続されている。また、コンビネーションメータ１には外部装置Ｂが接続されている。外部装置Ｂは、速度センサなどのセンサや、エンジンコントロールユニットなど、積算メータ値の元となる情報を測定または生成する装置である。
【００１１】
コンビネーションメータ１は、車両の運転席に搭載され、スピードメータやタコメータなどのほか、オドメータやトリップメータ、アワメータなど、積算メータ値を表示する機能を有する。なお、本実施形態の積算メータ値復元システムＡは、積算メータ値のうち、オドメータ値やアワメータ値など使用者がリセットできない値のみを復元する機能を有する。以下、本実施形態において単に「積算メータ値」と称する場合には「使用者がリセットできない積算メータ値」を意味する。
【００１２】
コンビネーションメータ１は、第１記憶部１１、演算手段１２、第１記憶手段１３、第１送信手段１４、復元手段１５、および表示手段１６を備えている。第１記憶部１１は不揮発性メモリで構成されている。演算手段１２、第１記憶手段１３、第１送信手段１４、および復元手段１５はＣＰＵなどにより実現される。表示手段１６は積算メータ値を表示する液晶ディスプレイなどで構成されている。
【００１３】
第１記憶部１１には、後述のごとく演算手段１２で演算された積算メータ値、または操作装置３から受信した積算メータ値が記憶されている。
【００１４】
演算手段１２は、第１記憶部１１に記憶されている過去の積算メータ値に外部装置Ｂからの測定値などを加算して現在の積算メータ値を演算する。例えば、外部装置Ｂとして車両の一定走行距離毎にパルスを発生する車速センサを用い、車速センサからの入力パルス数を積算して、第１記憶部１１に記憶されている過去のオドメータ値に加算することで、現在のオドメータ値を演算する。また、エンジンが動作している時間を積算して、第１記憶部１１に記憶されている過去のアワメータ値に加算することで、現在のアワメータ値を演算する。
【００１５】
演算手段１２で演算された積算メータ値は、随時、例えば値が更新されるたびに、第１記憶手段１３により第１記憶部１１に記憶され、第１送信手段１４により記憶装置２に送信される。
【００１６】
復元手段１５は、後述のごとく操作装置３から積算メータ値を受信する。そして、受信した積算メータ値を第１記憶部１１に記憶させる。この詳細は後に説明する。
【００１７】
表示手段１６は、第１記憶部１１に記憶された積算メータ値を表示する。第１記憶部１１に記憶された積算メータ値が更新されると、表示手段１６に表示される値も更新される。第１記憶部１１に記憶された積算メータ値は、第１記憶手段１３と復元手段１５のいずれかにより更新される。そのため、第１記憶手段１３により積算メータ値が更新されればその値が表示手段１６に表示され、復元手段１５により積算メータ値が更新されればその値が表示手段１６に表示される。
【００１８】
コンビネーションメータ１は故障した場合などに交換される。交換する際には、記憶装置２、および操作装置３は車両に搭載されたままコンビネーションメータ１のみが交換される。交換後のコンビネーションメータ１は積算メータ値がリセットされている。例えば、オドメータ値およびアワメータ値がすべて0である。
【００１９】
記憶装置２は、コンビネーションメータ１とは別の装置として車両に搭載されている。記憶装置２は、第２記憶部２１、第２記憶手段２２、および第２送信手段２３を備えている。第２記憶部２１は不揮発性メモリで構成されている。第２記憶手段２２、および第２送信手段２３はＣＰＵなどにより実現される。
【００２０】
第２記憶手段２２は、コンビネーションメータ１の第１送信手段１４から受信した積算メータ値を、受信するたびに第２記憶部２１に記憶する。したがって、コンビネーションメータ１の積算メータ値のコピーを常に第２記憶部１１に記憶することとなる。
【００２１】
ここで、第２記憶手段２２は、コンビネーションメータ１から受信した積算メータ値（以下、「受信値」と称する。）が第２記憶部２１に記憶された積算メータ値（以下、「記憶値」と称する）よりも大きい場合に、その受信値を第２記憶部２１に記憶させる。受信値が記憶値よりも小さい場合は、その受信値を第２記憶部２１に記憶させず、記憶値を更新しない。
【００２２】
コンビネーションメータ１を交換した場合、交換後のコンビネーションメータ１の積算メータ値はリセットされている。そのため、受信値を常に第２記憶部２１に記憶させると、車両の実態と合わない積算メータ値が記憶されることとなる。本実施形態では、受信値を記憶値よりも大きい場合に記憶するので、交換直後のコンビネーションメータ１のリセットされた積算メータ値で第２記憶部２１に記憶された積算メータ値が上書きされることがない。そのため、車両の実態と合った正しい積算メータ値を記憶することができる。
【００２３】
受信値と記憶値の比較は、積算メータ値の全ての値を比較してもよいし、一部の値を比較してもよい。例えば、受信値としてのオドメータ値およびアワメータ値の全てが、それぞれ記憶値としてのオドメータ値およびアワメータ値よりも大きい場合に、その受信値を第２記憶部２１に記憶させてもよい。受信値としてのオドメータ値が記憶値としてのオドメータ値よりも大きい場合に、受信値としてのオドメータ値およびアワメータ値の全てを第２記憶部２１に記憶させてもよい。
【００２４】
第２送信手段２３は、後述のごとく、操作装置３からの送信要求に応じて第２記憶部２１に記憶された積算メータ値を操作装置３に送信する。この詳細は後に説明する。
【００２５】
操作装置３は、コンビネーションメータ１とは別の装置として車両に搭載されている。移動式クレーンの場合、操作装置３を過負荷防止装置のモニタと共通としてもよい。また、記憶装置２と操作装置３は一体の装置として構成してもよい。操作装置３は、操作手段３１、取得手段３２、および第３送信手段３３を備えている。操作手段３１は、モニタやスイッチなどで構成されたユーザインタフェースである。取得手段３２、および第３送信手段３３はＣＰＵなどにより実現される。
【００２６】
操作手段３１は、使用者の操作（復元指示）を受け付け、取得手段３２および第３送信手段３３の動作を制御する。コンビネーションメータ１を交換した際に操作手段３１を操作することにより、コンビネーションメータ１の積算メータ値を復元できる。この詳細は後に説明する。
【００２７】
取得手段３２は、操作手段３１が積算メータ値の復元操作（以下、「復元指示」と称する。）を受け付けた場合に、記憶装置２の第２送信手段２３に送信要求を送信する。第２送信手段２３は、取得手段３２からの送信要求に応じて第２記憶部２１に記憶された積算メータ値を取得手段３２に送信する。
【００２８】
第３送信手段３３は、取得手段３２が取得した積算メータ値をコンビネーションメータ１の復元手段１５に送信する。復元手段１５は、第３送信手段３３から受信した積算メータ値を第１記憶部１１に記憶させる。第１記憶部１１への記憶が完了すると、第３送信手段３３に完了応答を送信する。この完了応答により第３送信手段３３は積算メータ値の復元完了を認識する。
【００２９】
つぎに、積算メータ値復元システムＡの動作について、通常時と、コンビネーションメータ１の交換時に分けて説明する。
（通常時）
通常時は、コンビネーションメータ１は、演算手段１２で積算メータ値を演算し、その積算メータ値を第１記憶手段１３で第１記憶部１１に記憶させるとともに、第１送信手段１４で記憶装置２に送信する。表示手段１６は第１記憶部１１に記憶された積算データ値を表示する。第１記憶部１１に記憶された積算データ値は、第１記憶手段１３により随時更新されるので、表示手段１６に表示される値も随時更新される。
【００３０】
記憶装置２は、第２記憶手段２２でコンビネーションメータ１から受信した積算データ値を随時第２記憶部２１に記憶させる。したがって、コンビネーションメータ１の積算メータ値のコピーを常に第２記憶部１１に記憶することとなる。ここで、積算データ値は時間の経過とともに大きくなるため、通常時は受信値が記憶値よりも大きい。そのため、コンビネーションメータ１から積算メータ値を受信するたびに第２記憶部２１に記憶させることとなる。
【００３１】
（交換時）
コンビネーションメータ１を交換する場合、まず、使用者がコンビネーションメータ１を取り外し、新たなコンビネーションメータ１を取り付ける。新たなコンビネーションメータ１は積算メータ値がリセットされているので、車両の実態と合わない。そこで、使用者が操作手段３１を操作して積算メータ値の復元を行う。
【００３２】
なお、積算メータ値の復元を行う前に、コンビネーションメータ１からリセットされた積算メータ値が記憶装置２に送信されたとしても、第２記憶手段２２により受信値がリセットされた値であるか否かが判断されるので、第２記憶部２１の積算メータ値がリセットされることがない。
【００３３】
積算メータ値の復元は操作手段３１を操作することにより行われる。以下では、操作手段３１として、過負荷防止装置のモニタと、そのモニタに設けられたスイッチを用いた場合を説明する。なお、操作手段３１は過負荷防止装置のモニタ等ほか、作業車両のモニタやコントローラを用いてもよいし、独立した装置としてもよい。図２および図３は過負荷防止装置のモニタに表示される画面の例示である。過負荷防止装置のモニタは移動式クレーンの運転席に搭載されており、通常時は過負荷防止装置の各種情報、例えば、ブーム長さ、ブーム起伏角、作業半径、アウトリガ張出幅、カウンタウエイト重量、定格荷重、吊荷荷重、負荷率などが表示されている（図２（Ａ）参照）。
【００３４】
使用者がモニタに設けられたスイッチを用いて所定の操作を行うと、取得手段３２が記憶装置２の第２送信手段２３に送信要求を送信し、第２送信手段２３から第２記憶部２１に記憶された積算メータ値を取得する。そして、モニタは図２（Ｂ）に示す画面に遷移し、取得した積算メータ値（図２（Ｂ）に示す例では、オドメータ値、およびアワメータ値）を表示する。
【００３５】
つぎに、使用者がモニタに設けられたスイッチを用いて所定の操作を行い、積算メータ値の書き換えを指示すると（図３（Ｃ）参照）、第３送信手段３３が積算メータ値をコンビネーションメータ１の復元手段１５に送信する。復元手段１５は、第３送信手段３３から受信した積算メータ値を第１記憶部１１に記憶させる。第３送信手段３３が復元手段１５からの完了応答を受信すると、モニタは図３（Ｄ）に示す画面に遷移し、積算メータ値の復元が完了した旨を表示する。
【００３６】
以上の手順で積算メータ値が復元された後は、交換後のコンビネーションメータ１は第１記憶部１１に記憶された積算データ値を基に現在の積算データ値を演算するので、車両の実態と合った積算メータ値を表示することができる。
【００３７】
以上のように、コンビネーションメータ１で演算された積算メータ値を記憶装置２に記憶させているので、コンビネーションメータ１を交換する際に操作装置３を操作することで交換前の積算メータ値を交換後のコンビネーションメータ１に復元できる。そのため、積算メータ値の復元が容易であり、コンビネーションメータ１の交換を短時間で行える。また、積算メータ値の復元が可能であるので、メーカが新しいコンビネーションメータの積算メータ値を書き換える必要がない。そのため、コンビネーションメータ１の交換用のストックが可能であり、交換を短時間で行える。
【００３８】
（第２実施形態）
つぎに、本発明の第２実施形態に係る積算メータ値復元システムＢを説明する。図４に示すように、積算メータ値復元システムＢは第１実施形態に係る積算メータ値復元システムＡにおいて、コンビネーションメータ１にリセット手段１７が追加された形態である。その余の構成は積算メータ値復元システムＡと同様であるので、同一部材に同一符号を付して説明を省略する。
【００３９】
本実施形態の積算メータ値復元システムＢは、積算メータ値として、「使用者がリセットできない積算メータ値」に加えて、または代えて、トリップメータ値や平均燃費など「使用者がリセットできる積算メータ値」を復元する機能を有する。以下、本実施形態において単に「積算メータ値」と称する場合には「使用者がリセットできる積算メータ値」を意味する。
【００４０】
演算手段１２は、例えば、外部装置Ｂとして車速センサを用い、車速センサからの入力パルス数を積算して、第１記憶部１１に記憶されている過去のトリップメータ値に加算することで、現在のトリップメータ値を演算する。また、外部装置Ｂとしてエンジンコントロールユニットを用い、エンジンコントロールユニットから得られる瞬間燃費（エンジンの燃料噴射量の指令値）を積算した値とトリップメータ値とから平均燃費を演算する。
【００４１】
リセット手段１７はコンビネーションメータ１に設けられたスイッチなどで構成されている。リセット手段１７を操作する（スイッチを押す）と、リセット手段１７は第１記憶部１１に記憶された積算メータ値をリセットするとともに、記憶装置２の第２記憶手段２２にリセット信号を送信する。第２記憶手段２２は、リセット信号を受信した場合に第２記憶部２１に記憶された積算メータ値をリセットする。このように、リセット手段１７を操作すると、コンビネーションメータ１に記憶された積算メータ値がリセットされるとともに、記憶装置２に記憶された積算メータ値がリセットされる。
【００４２】
第１実施形態と同様に、第２記憶手段２２は、受信値が記憶値よりも大きい場合に、その受信値を第２記憶部２１に記憶させる。受信値が記憶値よりも小さい場合は、その受信値を第２記憶部２１に記憶させず、記憶値を更新しない。仮に、コンビネーションメータ１の積算メータ値をリセットした際に記憶装置２に記憶された積算メータ値をリセットしないと、受信値が記憶値よりも小さくなり、第２記憶手段２２は第２記憶部２１の積算メータ値を更新しない。しかし、本実施形態では、コンビネーションメータ１の積算メータ値をリセットすると記憶装置２の積算メータ値がリセットされるので、リセット後の積算メータ値を記憶装置２に記憶することができる。
【００４３】
積算メータ値として、トリップメータ値と、トリップメータ値と同期間における平均燃費とが含まれている場合には、第２記憶手段２２は、受信値としてのトリップメータ値が記憶値としてのトリップメータ値よりも大きい場合に、受信値としてのトリップメータ値および平均燃費を第２記憶部２１に記憶させる。すなわち、トリップメータ値を基に、平均燃費がリセットされた値であるか否かを判断する。
【００４４】
これは、平均燃費は時間の経過とともに大きくなるとは限らず、小さくなる場合もあるからである。このように、トリップメータ値を基に、コンビネーションメータ１から受信した平均燃費がリセットされた値であるか否かを判断するので、正しい平均燃費を記憶することができる。
【符号の説明】
【００４５】
１    コンビネーションメータ
１１  第１記憶部
１２  演算手段
１３  第１記憶手段
１４  第１送信手段
１５  復元手段
１６  表示手段
１７  リセット手段
２    記憶装置
２１  第２記憶部
２２  第２記憶手段
２３  第２送信手段
３    操作装置
３１  操作手段
３２  取得手段
３３  第３送信手段
【図１】
2014215255.tif 000003
【図２】
2014215255.tif 000004
【図３】
2014215255.tif 000005
【図４】
2014215255.tif 000006